【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
複数の単電池から構成される単電池群から電力の供給を受けて動作する電池制御回路であって、
各単電池の電圧を検出する電圧検出回路と、
少なくとも前記単電池間の電圧又は充電状態の均等化を行うためのスイッチを駆動する駆動回路と、
外部からの信号を受信する信号入力回路と、
外部に信号を発信するための信号出力回路と、
通常モードと前記通常モードよりも消費電流が小さい低消費電流モードの２種類のモードを備える電源回路と、
前記信号入力回路を介して受信した外部からの指令値を記憶し、前記指令値に応じて前記電源回路の通常モードから低消費電流モードへの移行条件を変更できる低消費電流条件変更回路とを備え、
前記低消費電流条件変更回路は、前記指令値として時間を記憶し、前記信号入力回路が外部からの信号を所定時間以上受信しないとき又は当該電池制御回路の動作停止を指示する信号を受信したとき、前記通常モードでの動作時間の計測を開始し、前記計測した時間が前記記憶した時間に達したとき、前記電源回路を前記通常モードから前記低消費電流モードへと移行させることを特徴とする電池制御回路。
【請求項２】
請求項１記載の電池制御回路において、
前記低消費電流条件変更回路に記憶した時間よりも長い第２の時間を予め又は外部からの信号で記憶する時間制限回路を備え、
前記時間制限回路は、前記低消費電流条件変更回路に加えて前記通常モードでの動作時間の計測を行い、
前記低消費電流条件変更回路に記憶した時間が経過しても前記電源回路が前記通常モードから前記低消費電流モードへと移行しない場合、前記時間制限回路は、前記計測した時間が前記第２の時間に達したとき、前記電源回路を前記通常モードから前記低消費電流モードへと移行させることを特徴とする電池制御回路。
【請求項３】
請求項１記載の電池制御回路において、
電圧を予め又は外部からの信号で記憶する電圧制限回路を備え、
前記低消費電流条件変更回路に記憶した時間を経過しても前記電源回路が前記通常モードから前記低消費電流モードへと移行しない場合、前記電圧制限回路は、前記記憶した電圧以下の電圧が前記電圧検出回路によって検出されたとき、前記電源回路を前記通常モードから前記低消費電流モードへと移行させることを特徴とする電池制御回路。
【請求項４】
請求項１〜３のいずれか１項記載の電池制御回路において、
当該電池制御回路の前記通常モードでの消費電流値を記憶する消費電流記憶回路と、
基準となる基準消費電流値を記憶する基準電流記憶回路とを備え、
前記低消費電流条件変更回路は当該電池制御回路が起動してから停止するまでの時間を計測し、前記消費電流記憶回路に記憶した消費電流値と前記基準電流記憶回路に記憶した基準消費電流値との差を検出し、前記消費電流値の差を前記消費電流記憶回路に記憶した当該電池制御回路の消費電流値で解消できる時間を前記指令値として前記低消費電流条件変更回路を動作させることを特徴とする電池制御回路。
【請求項５】
請求項４記載の電池制御回路において、
前記信号入力回路を介して受信した外部からの信号に基づき、前記消費電流記憶回路に記憶した前記消費電流値を前記信号出力回路から外部に出力することを特徴とする電池制御回路。
【請求項６】
複数の単電池から構成される単電池群から電力の供給を受けて動作する電池制御回路であって、
各単電池の電圧を検出する電圧検出回路と、
少なくとも前記単電池間の電圧又は充電状態の均等化を行うためのスイッチを駆動する駆動回路と、
外部からの信号を受信する信号入力回路と、
外部に信号を発信するための信号出力回路と、
通常モードと前記通常モードよりも消費電流が小さい低消費電流モードの２種類のモードを備える電源回路と、
前記信号入力回路を介して受信した外部からの指令値を記憶し、前記指令値に応じて前記電源回路の前記通常モードから前記低消費電流モードへの移行条件を変更できる低消費電流条件変更回路とを備え、
前記低消費電流条件変更回路は、前記指令値として電圧を記憶し、前記信号入力回路が外部からの信号を所定時間以上受信しないとき又は当該電池制御回路の動作停止を指示する信号を受信したとき、前記記憶した電圧と前記電圧検出回路で検出した電圧を比較対象電圧として電圧比較を開始し、前記比較対象電圧が前記記憶した電圧以下となったとき、前記電源回路を前記通常モードから前記低消費電流モードへと移行させることを特徴とする電池制御回路。
【請求項７】
請求項６記載の電池制御回路において、
時間を予め又は外部からの信号で記憶する時間制限回路を備え、
前記比較対象電圧が前記低消費電流条件変更回路に記憶した電圧以下になっても前記電源回路が通常モードから低消費電流モードへと移行しない場合、前記時間制限回路は、前記低消費電流条件変更回路が前記電圧の比較を開始してからの前記通常モードでの動作時間が前記記憶した時間を経過したとき、前記電源回路を前記通常モードから前記低消費電流モードへと移行させることを特徴とする電池制御回路。
【請求項８】
請求項６記載の電池制御回路において、
前記低消費電流条件変更回路に記憶した電圧よりも低い第２の電圧を予め又は外部からの信号で記憶する電圧制限回路を備え、
前記比較対象電圧が前記低消費電流条件変更回路に記憶した電圧以下になっても前記電源回路が前記通常モードでの動作を継続した場合、前記電圧制限回路は前記比較対象電圧を前記第２の電圧と比較し、前記比較対象電圧が前記第２の電圧以下になったとき、前記電源回路を前記通常モードから前記低消費電流モードへと移行させることを特徴とする電池制御回路。
【請求項９】
請求項１〜８のいずれか１項記載の電池制御回路において、
前記均等化の動作を変更する均等化動作変更回路を備え、
前記低消費電流条件変更回路に前記指令値が設定され、前記信号入力回路が外部からの信号を所定時間以上受信しないとき又は当該電池制御回路の動作停止を指示する信号を受信したとき、
前記均等化動作変更回路は、各単電池に付随するスイッチを一斉にオンするか、又は各単電池のスイッチのオン時間が一致するように前記スイッチのオン・オフ制御を開始することによって、前記単電池群が蓄えたエネルギーの消費を増加させることを特徴とする電池制御回路。
【請求項１０】
請求項１〜９のいずれか１項記載の電池制御回路において、
前記電圧検出回路の動作を変更する電圧検出動作変更回路を備え、
前記電圧検出回路は前記信号入力回路を介して受信した外部からの指令に基づき各単電池の電圧検出を開始するものであり、
前記低消費電流条件変更回路に前記指令値が設定され、前記信号入力回路が外部からの信号を所定時間以上受信しないとき又は当該電池制御回路の動作停止を指示する信号を受信したとき、
前記電圧検出動作変更回路は、前記電圧検出回路の動作を、前記外部からの指令に基づき電圧検出を開始する動作から、外部からの指令に関係なく連続的に電圧検出を開始する動作へと変更することで前記単電池群が蓄えたエネルギーの消費を増加させることを特徴とする電池制御回路。
【請求項１１】
請求項１〜１０のいずれか１項記載の電池制御回路において、
定められた時間間隔でカウントを行い時間の経過を検知又は管理する時間処理回路を備え、
前記低消費電流条件変更回路に前記指令値が設定され、前記信号入力回路が外部からの信号を所定時間以上受信しないとき又は当該電池制御回路の動作停止を指示する信号を受信したとき、
前記時間処理回路のカウントの時間間隔を狭めることで前記単電池群が蓄えたエネルギーの消費を増加させることを特徴とする電池制御回路。
【請求項１２】
単電池からの電力供給により動作を行う電池制御回路であって、
前記単電池の電圧を検出する電圧検出回路と、
外部からの信号を受信する信号入力回路と、
外部に信号を発信するための信号出力回路と、
通常モードと前記通常モードよりも消費電流が小さい低消費電流モードの２種類のモードを備える電源回路と、
前記信号入力回路を介して受信した外部からの指令値を記憶し、前記指令値に応じて前記電源回路の通常モードから低消費電流モードへの移行条件を変更できる低消費電流条件変更回路とを備え、
前記低消費電流条件変更回路は、前記指令値として時間を記憶し、前記信号入力回路が外部からの信号を所定時間以上受信しないとき又は当該電池制御回路の動作停止を指示する信号を受信したとき、前記通常モードでの動作時間の計測を開始し、前記計測した時間が前記記憶した時間に達したとき、前記電源回路を前記通常モードから前記低消費電流モードへと移行させることを特徴とする電池制御回路。
【請求項１３】
請求項１２記載の電池制御回路において、
前記低消費電流条件変更回路に記憶した時間よりも長い第２の時間を予め又は外部からの信号で記憶する時間制限回路を備え、
前記時間制限回路は、前記低消費電流条件変更回路に加えて前記通常モードでの動作時間の計測を行い、
前記低消費電流条件変更回路に設定した時間が経過しても前記電源回路が前記通常モードから前記低消費電流モードへと移行しない場合、前記時間制限回路は、前記計測した時間が前記第２の時間に達したとき、前記電源回路を前記通常モードから前記低消費電流モードへと移行させることを特徴とする電池制御回路。
【請求項１４】
請求項１２記載の電池制御回路において、
電圧を予め又は外部からの信号で記憶する電圧制限回路を備え、
前記低消費電流条件変更回路に記憶した時間を経過しても前記電源回路が前記通常モードから前記低消費電流モードへと移行しない場合、前記電圧制限回路は、前記記憶した電圧以下の電圧が前記電圧検出回路によって検出されたとき、前記電源回路を前記通常モードから前記低消費電流モードへと移行させることを特徴とする電池制御回路。
【請求項１５】
請求項１２〜１４のいずれか１項記載の電池制御回路において、
当該電池制御回路の前記通常モードでの消費電流値を記憶する消費電流記憶回路と、
基準となる基準消費電流値を記憶する基準電流記憶回路とを備え、
前記低消費電流条件変更回路は当該電池制御回路が起動してから停止するまでの時間を計測し、前記消費電流記憶回路に記憶した消費電流値と前記基準電流記憶回路に記憶した基準消費電流値との差を検出し、前記消費電流差を前記消費電流記憶回路に記憶した当該電池制御回路の消費電流で解消できる時間を前記指令値として前記低消費電流条件変更回路を動作させることを特徴とする電池制御回路。
【請求項１６】
請求項１５項記載の電池制御回路において、
前記信号入力回路を介して受信した外部からの信号に基づき、前記消費電流記憶回路に記憶した前記消費電流値を外部に出力することを特徴とする電池制御回路。
【請求項１７】
単電池からの電力供給により動作を行う電池制御回路であって、
前記単電池の電圧を検出する電圧検出回路と、
外部からの信号を受信する信号入力回路と、
外部に信号を発信するための信号出力回路と、
通常モードと前記通常モードよりも消費電流が小さい低消費電流モードの２種類のモードを備える電源回路と、
前記信号入力回路を介して受信した外部からの指令値を記憶し、前記指令値に応じて前記電源回路の前記通常モードから前記低消費電流モードへの移行条件を変更できる低消費電流条件変更回路とを備え、
前記低消費電流条件変更回路は、前記指令値として電圧を記憶し、前記信号入力回路が外部からの信号を所定時間以上受信しないとき又は当該電池制御回路の動作停止を指示する信号を受信したとき、前記記憶した電圧と前記電圧検出回路で検出した電圧との比較を開始し、前記電圧検出回路で検出した電圧が前記記憶した電圧以下となったとき、前記電源回路を前記通常モードから前記低消費電流モードへと移行させることを特徴とする電池制御回路。
【請求項１８】
請求項１７記載の電池制御回路において、
時間を予め又は外部からの信号で記憶する時間制限回路を備え、
前記電圧検出回路で検出した電圧が前記低消費電流条件変更回路に記憶した電圧以下になっても前記電源回路が前記通常モードから前記低消費電流モードへと移行しない場合、前記時間制限回路は、前記低消費電流条件変更回路が前記電圧の比較を開始してからの前記通常モードでの動作時間が前記記憶した時間を経過したとき、前記電源回路を前記通常モードから前記低消費電流モードへと移行させることを特徴とする電池制御回路。
【請求項１９】
請求項１７記載の電池制御回路において、
前記低消費電流条件変更回路に記憶した電圧よりも低い第２の電圧を予め又は外部からの信号で記憶する電圧制限回路を備え、
前記電圧検出回路が検出した電圧が前記低消費電流条件変更回路に記憶した電圧以下になっても前記電源回路が前記通常モードでの動作を継続した場合、前記電圧制限回路は前記電圧検出回路によって検出された電圧と前記第２の電圧とを比較し、前記検出された電圧が前記第２の電圧以下になったとき、前記電源回路を前記通常モードから前記低消費電流モードへと移行させることを特徴とする電池制御回路。
【請求項２０】
請求項１２〜１９のいずれか１項記載の電池制御回路において、
前記電圧検出回路の動作を変更する電圧検出動作変更回路を備え、
前記電圧検出回路は前記信号入力回路を介して受信した外部からの指令に基づき前記単電池の電圧検出を開始するものであり、
前記低消費電流条件変更回路に前記指令値が設定され、前記信号入力回路が外部からの信号を所定時間以上受信しないとき又は当該電池制御回路の動作停止を指示する信号を受信したとき、
前記電圧検出動作変更回路は、前記電圧検出回路の動作を、前記外部からの指令に基づき電圧検出を開始する動作から、外部からの指令に関係なく連続的に電圧検出を開始する動作へと変更することで前記単電池が蓄えたエネルギーの消費を増加させることを特徴とする電池制御回路。
【請求項２１】
請求項１２〜２０のいずれか１項記載の電池制御回路において、
定められた時間間隔でカウントを行い時間の経過を検知又は管理する時間処理回路を備え、
前記低消費電流条件変更回路に前記指令値が設定され、前記信号入力回路が外部からの信号を所定時間以上受信しないとき又は当該電池制御回路の動作停止を指示する信号を受信したとき、
前記時間処理回路のカウントの時間間隔を狭めることで前記単電池が蓄えたエネルギーの消費を増加させることを特徴とする電池制御回路。